(57)【要約】【課題】  １台の携帯電話で、利用シーンに応じて電話番号を切り替えて通話を行う通信システムおよび通信方法を提供する。【解決手段】  サービスセンタ装置２０は携帯電話１０の利用者名，自局電話番号および稼動状況を稼動状況管理テーブル２１に登録して管理する。携帯電話１０は外部メモリ１２を挿入して外部メモリ１２に記憶されている自局電話番号で発信・着信を行う。サービスセンタ装置２０は携帯電話１０と相手側との通話を中継する。サービスセンタ装置２０は、携帯電話１０からの通話を中継し相手側に送出する。また、サービスセンタ装置２０は、相手側からの通話を中継し、稼動状況管理テーブル２１で稼動中として管理されている自局電話番号で携帯電話１０につなぐ。【選択図】      図１
2005348233.tif 000002
【特許請求の範囲】
【請求項１】
予め割り当てられた複数の電話番号のうち稼動中として選択されている一の電話番号で受信又は発信を行う携帯電話装置と、当該携帯電話装置の受信又は発信を中継する中継装置とを含む通信システムであって、
前記携帯電話装置は、稼動中の電話番号を前記複数の電話番号のうちの他の電話番号に切り替える切替手段と、前記切替手段が稼動中の電話番号を切替えたときに新たに選択された稼動中の電話番号を示す切替通知を前記中継装置に発信する手段とを有し、
前記中継装置は、稼動中の電話番号を示す識別情報を記憶する記憶手段と、前記携帯電話装置から前記切替通知を受信したときに新たに選択された稼動中の電話番号を示す識別情報を前記記憶手段に登録する登録手段と、前記複数の電話番号のうち稼動中として選択されている電話番号以外の電話番号に着信があったときに前記識別情報を参照して当該着信を稼動中の電話番号に転送する転送手段とを有することを特徴とする通信システム。
【請求項２】
前記中継装置の前記記憶手段は、前記識別情報として、前記複数の電話番号の各々に対応して、対応する電話番号が稼動中として選択されているか否かを示す稼動状況フラグを記憶することを特徴とする請求項１記載の通信システム。
【請求項３】
前記中継装置の前記記憶手段は、利用者識別子、電話番号および稼動状況フラグを含むレコードを複数格納した稼動状況管理テーブルを有し、
前記中継装置の前記登録手段は、前記携帯電話装置から前記切替通知を受信したときに、前記稼動状況管理テーブルの中で新たに選択された稼動中の電話番号に対応するレコードの稼動状況フラグを活性化するとともに、当該レコードと同じ利用者識別子を有する他のレコードの稼動状況フラグを不活性化し、
前記中継装置の前記転送手段は、着信先電話番号に対する着信があったときに、前記稼動状況テーブルの中で前記着信先電話番号に対応するレコードを着信レコードとして特定し、前記着信レコードの前記稼動状況フラグが活性であるときは前記着信先電話番号に前記着信を中継し、前記着信レコードの前記稼動状況フラグが不活性であるときは前記着信レコードと同一の利用者識別子を有するレコードのうち前記稼動状況フラグが活性であるレコードに登録された電話番号に前記着信を転送することを特徴とする請求項２記載の通信システム。
【請求項４】
前記中継装置の前記記憶手段は、前記識別情報として、前記複数の電話番号のうち稼動中の電話番号以外の電話番号に対応して、稼動中の電話番号を記憶することを特徴とする請求項１記載の通信システム。
【請求項５】
前記中継装置の前記記憶手段は、利用者識別子、電話番号および転送先電話番号を含むレコードを複数格納した稼動状況管理テーブルを有し、
前記中継装置の前記登録手段は、前記携帯電話装置から前記切替通知を受信したときに、前記稼動状況管理テーブルの中で新たに選択された稼動中の電話番号に対応するレコードおよび当該レコードと同じ利用者識別子を有する他のレコードの転送先電話番号に新たに選択された稼動中の電話番号を登録し、
前記中継装置の前記転送手段は、着信先電話番号に対する着信があったときに、前記稼動状況テーブルの中で前記着信先電話番号に対応するレコードを着信レコードとして特定し、前記着信レコードに登録された電話番号および転送先電話番号が等しいときは前記着信先電話番号に前記着信を中継し、前記着信レコードに登録された電話番号および転送先電話番号が異なるときは当該転送先電話番号に前記着信を転送することを特徴とする請求項４記載の通信システム。
【請求項６】
前記携帯電話装置が、
前記複数の電話番号に対応した複数の利用者データエリアが設けられたメモリと、
前記切替手段が稼動中の電話番号を切替えたときに、前記複数の利用者データエリアのうち新たに選択された稼動中の電話番号に対応する利用者データエリアを、アクセスすべき利用者データエリアとして選択する手段とを有することを特徴とする請求項１記載の通信システム。
【請求項７】
前記携帯電話装置の前記切替手段は、電話番号を記憶した外部メモリが前記携帯電話装置に挿入されたときに、稼動中の電話番号を当該外部メモリに記憶された電話番号に切り替えることを特徴とする請求項１記載の通信システム。
【請求項８】
前記中継装置は、前記複数の電話番号のうち稼動中として選択されている電話番号以外の電話番号に着信があったときに留守番電話に録音することを特徴とする請求項１記載の通信システム。
【請求項９】
前記中継装置は、前記複数の電話番号の各電話番号毎に課金を行うことを特徴とする請求項１記載の通信システム。
【請求項１０】
予め割り当てられた複数の電話番号のうち稼動中として選択されている一の電話番号で受信又は発信を行う携帯電話装置と、当該携帯電話装置の受信又は発信を中継する中継装置とを含むシステムの通信方法であって、
前記携帯電話装置は、
稼動中の電話番号を前記複数の電話番号のうちの他の電話番号に切り替え、
稼動中の電話番号を切替えたときに新たに選択された稼動中の電話番号を示す切替通知を前記中継装置に発信し、
前記中継装置は、
前記携帯電話装置から前記切替通知を受信したときに新たに選択された稼動中の電話番号を示す識別情報を記憶手段に登録し、
前記複数の電話番号のうち稼動中として選択されている電話番号以外の電話番号に着信があったときに前記記憶手段に登録した前記識別情報を参照して当該着信を稼動中の電話番号に転送することを特徴とする通信方法。
【請求項１１】
前記中継装置の前記記憶手段に、前記識別情報として、前記複数の電話番号の各々に対応して、対応する電話番号が稼動中として選択されているか否かを示す稼動状況フラグを記憶することを特徴とする請求項１０記載の通信方法。
【請求項１２】
前記中継装置の前記記憶手段に、利用者識別子、電話番号および稼動状況フラグを含むレコードを複数格納した稼動状況管理テーブルを記憶し、
前記中継装置は、
前記携帯電話装置から前記切替通知を受信したときに、前記稼動状況管理テーブルの中で新たに選択された稼動中の電話番号に対応するレコードの稼動状況フラグを活性化するとともに、当該レコードと同じ利用者識別子を有する他のレコードの稼動状況フラグを不活性化し、
着信先電話番号に対する着信があったときに、前記稼動状況テーブルの中で前記着信先電話番号に対応するレコードを着信レコードとして特定し、前記着信レコードの前記稼動状況フラグが活性であるときは前記着信先電話番号に前記着信を中継し、前記着信レコードの前記稼動状況フラグが不活性であるときは前記着信レコードと同一の利用者識別子を有するレコードのうち前記稼動状況フラグが活性であるレコードに登録された電話番号に前記着信を転送することを特徴とする請求項１１記載の通信方法。
【請求項１３】
前記中継装置の前記記憶手段に、前記識別情報として、前記複数の電話番号のうち稼動中の電話番号以外の電話番号に対応して、稼動中の電話番号を記憶することを特徴とする請求項１０記載の通信方法。
【請求項１４】
前記中継装置の前記記憶手段に、利用者識別子、電話番号および転送先電話番号を含むレコードを複数格納した稼動状況管理テーブルを記憶し、
前記中継装置は、
前記携帯電話装置から前記切替通知を受信したときに、前記稼動状況管理テーブルの中で新たに選択された稼動中の電話番号に対応するレコードおよび当該レコードと同じ利用者識別子を有する他のレコードの転送先電話番号に新たに選択された稼動中の電話番号を登録し、
着信先電話番号に対する着信があったときに、前記稼動状況テーブルの中で前記着信先電話番号に対応するレコードを着信レコードとして特定し、前記着信レコードに登録された電話番号および転送先電話番号が等しいときは前記着信先電話番号に前記着信を中継し、前記着信レコードに登録された電話番号および転送先電話番号が異なるときは当該転送先電話番号に前記着信を転送することを特徴とする請求項１３記載の通信方法。
【請求項１５】
前記携帯電話装置は、稼動中の電話番号を切替えたときに、メモリに設けられた前記複数の電話番号に対応した複数の利用者データエリアのうち新たに選択された稼動中の電話番号に対応する利用者データエリアを、アクセスすべき利用者データエリアとして選択することを特徴とする請求項１０記載の通信方法。
【請求項１６】
前記携帯電話装置は、電話番号を記憶した外部メモリが前記携帯電話装置に挿入されたときに、稼動中の電話番号を当該外部メモリに記憶された電話番号に切り替えることを特徴とする請求項１０記載の通信方法。
【請求項１７】
前記中継装置は、前記複数の電話番号のうち稼動中として選択されている電話番号以外の電話番号に着信があったときに留守番電話に録音することを特徴とする請求項１０記載の通信方法。
【請求項１８】
前記中継装置は、前記複数の電話番号の各電話番号毎に課金を行うことを特徴とする請求項１０記載の通信方法。
【請求項１９】
予め割り当てられた複数の電話番号のうち稼動中として選択されている一の電話番号で受信又は発信を行う携帯電話装置であって、
稼動中の電話番号を前記複数の電話番号のうちの他の電話番号に切り替える切替手段と、
前記切替手段が稼動中の電話番号を切替えたときに新たに選択された稼動中の電話番号を示す切替通知を中継装置に発信する手段とを有することを特徴とする携帯電話装置。
【請求項２０】
前記複数の電話番号に対応した複数の利用者データエリアが設けられたメモリと、
前記切替手段が稼動中の電話番号を切替えたときに、前記複数の利用者データエリアのうち新たに選択された稼動中の電話番号に対応する利用者データエリアを、アクセスすべき利用者データエリアとして選択する手段とを有することを特徴とする請求項１９記載の携帯電話装置。
【請求項２１】
前記切替手段は、電話番号を記憶した外部メモリが前記携帯電話装置に挿入されたときに、稼動中の電話番号を当該外部メモリに記憶された電話番号に切り替えることを特徴とする請求項１９記載の携帯電話装置。
【請求項２２】
予め割り当てられた複数の電話番号のうち稼動中として選択されている一の電話番号で受信又は発信を行う携帯電話装置の受信又は発信を中継する中継装置であって、
稼動中の電話番号を示す識別情報を記憶する記憶手段と、
前記携帯電話装置から切替通知を受信したときに新たに選択された稼動中の電話番号を示す識別情報を前記記憶手段に登録する登録手段と、
前記複数の電話番号のうち稼動中として選択されている電話番号以外の電話番号に着信があったときに前記識別情報を参照して当該着信を稼動中の電話番号に転送する転送手段とを有することを特徴とする中継装置。
【請求項２３】
前記記憶手段は、前記識別情報として、前記複数の電話番号の各々に対応して、対応する電話番号が稼動中として選択されているか否かを示す稼動状況フラグを記憶することを特徴とする請求項２２記載の中継装置。
【請求項２４】
前記記憶手段は、利用者識別子、電話番号および稼動状況フラグを含むレコードを複数格納した稼動状況管理テーブルを有し、
前記登録手段は、前記携帯電話装置から前記切替通知を受信したときに、前記稼動状況管理テーブルの中で新たに選択された稼動中の電話番号に対応するレコードの稼動状況フラグを活性化するとともに、当該レコードと同じ利用者識別子を有する他のレコードの稼動状況フラグを不活性化し、
前記転送手段は、着信先電話番号に対する着信があったときに、前記稼動状況テーブルの中で前記着信先電話番号に対応するレコードを着信レコードとして特定し、前記着信レコードの前記稼動状況フラグが活性であるときは前記着信先電話番号に前記着信を中継し、前記着信レコードの前記稼動状況フラグが不活性であるときは前記着信レコードと同一の利用者識別子を有するレコードのうち前記稼動状況フラグが活性であるレコードに登録された電話番号に前記着信を転送することを特徴とする請求項２３記載の中継装置。
【請求項２５】
前記記憶手段は、前記識別情報として、前記複数の電話番号のうち稼動中の電話番号以外の電話番号に対応して、稼動中の電話番号を記憶することを特徴とする請求項２２記載の中継装置。
【請求項２６】
前記記憶手段は、利用者識別子、電話番号および転送先電話番号を含むレコードを複数格納した稼動状況管理テーブルを有し、
前記登録手段は、前記携帯電話装置から前記切替通知を受信したときに、前記稼動状況管理テーブルの中で新たに選択された稼動中の電話番号に対応するレコードおよび当該レコードと同じ利用者識別子を有する他のレコードの転送先電話番号に新たに選択された稼動中の電話番号を登録し、
前記転送手段は、着信先電話番号に対する着信があったときに、前記稼動状況テーブルの中で前記着信先電話番号に対応するレコードを着信レコードとして特定し、前記着信レコードに登録された電話番号および転送先電話番号が等しいときは前記着信先電話番号に前記着信を中継し、前記着信レコードに登録された電話番号および転送先電話番号が異なるときは当該転送先電話番号に前記着信を転送することを特徴とする請求項２５記載の中継装置。
【請求項２７】
前記複数の電話番号のうち稼動中として選択されている電話番号以外の電話番号に着信があったときに留守番電話に録音することを特徴とする請求項２２記載の中継装置。
【請求項２８】
前記複数の電話番号の各電話番号毎に課金を行うことを特徴とする請求項２２記載の中継装置。
【請求項２９】
携帯電話装置に、
稼動中の電話番号を複数の電話番号のうちの他の電話番号に切り替える切替機能、
前記切替機能が稼動中の電話番号を切替えたときに新たに選択された稼動中の電話番号を示す切替通知を中継装置に発信する機能を実現させるためのプログラム。
【請求項３０】
中継装置に、
予め割り当てられた複数の電話番号のうち稼動中として選択されている一の電話番号で受信又は発信を行う携帯電話装置から切替通知を受信したときに新たに選択された稼動中の電話番号を示す識別情報を記憶手段に登録する登録機能、
前記複数の電話番号のうち稼動中として選択されている電話番号以外の電話番号に着信があったときに前記識別情報を参照して当該着信を稼動中の電話番号に転送する転送機能を実現させるためのプログラム。
【発明の詳細な説明】
【技術分野】
【０００１】
本発明は、通信システムおよび通信方法ならびに携帯電話装置，中継装置およびそのプログラムに関し、特に、利用シーン（利用場面）に応じて電話番号を切り替えて通話を行う通信システムおよび通信方法ならびに携帯電話装置，中継装置およびそのプログラムに関する。
【背景技術】
【０００２】
従来、利用シーンに応じて複数の自局電話番号を使い分けたい場合には、自局電話番号データを記憶して携帯電話に脱着可能な「外部メモリ」を複数枚所持する。そして、その「外部メモリ」を携帯電話に差し替えることによって、１台の携帯電話で、複数の自局電話番号を使い分けている（特許文献１）。
【０００３】
また、２つの異なる加入者識別モジュール（ＳＩＭ）カードを１つの電話機に格納し、ユーザからの指示によりコールを申し込むＳＩＭカードを選択することで、１つの電話機で２つの電話番号を使用することが可能となっている（特許文献２）。
【０００４】
【特許文献１】特表２００２−５１１２１７号公報
【特許文献２】特開２００２−２３０４８７号公報
【発明の開示】
【発明が解決しようとする課題】
【０００５】
しかしながら、上述した背景技術では、自局電話番号を切り替えることはできても、一旦自局電話番号を切り替えると、切り替える前の自局電話番号に対する電話を受けることができないという問題があった。
【０００６】
本発明の目的は、上記の問題点を解決し、利用シーンに応じて電話番号を切り替えて通話を行うことのできる通信システムおよび通信方法ならびに携帯電話装置，中継装置およびそのプログラムを提供することにある。
【課題を解決するための手段】
【０００７】
本願第１の発明の通信システムは、予め割り当てられた複数の電話番号のうち稼動中として選択されている一の電話番号で受信又は発信を行う携帯電話装置と、当該携帯電話装置の受信又は発信を中継する中継装置とを含む通信システムであって、前記携帯電話装置は、稼動中の電話番号を前記複数の電話番号のうちの他の電話番号に切り替える切替手段と、前記切替手段が稼動中の電話番号を切替えたときに新たに選択された稼動中の電話番号を示す切替通知を前記中継装置に発信する手段とを有し、前記中継装置は、稼動中の電話番号を示す識別情報を記憶する記憶手段と、前記携帯電話装置から前記切替通知を受信したときに新たに選択された稼動中の電話番号を示す識別情報を前記記憶手段に登録する登録手段と、前記複数の電話番号のうち稼動中として選択されている電話番号以外の電話番号に着信があったときに前記識別情報を参照して当該着信を稼動中の電話番号に転送する転送手段とを有する。
【０００８】
本願第２の発明の通信システムは、第１の発明において前記中継装置の前記記憶手段は、前記識別情報として、前記複数の電話番号の各々に対応して、対応する電話番号が稼動中として選択されているか否かを示す稼動状況フラグを記憶することを特徴とする。
【０００９】
本願第３の発明の通信システムは、第２の発明において前記中継装置の前記記憶手段は、利用者識別子、電話番号および稼動状況フラグを含むレコードを複数格納した稼動状況管理テーブルを有し、前記中継装置の前記登録手段は、前記携帯電話装置から前記切替通知を受信したときに、前記稼動状況管理テーブルの中で新たに選択された稼動中の電話番号に対応するレコードの稼動状況フラグを活性化するとともに、当該レコードと同じ利用者識別子を有する他のレコードの稼動状況フラグを不活性化し、前記中継装置の前記転送手段は、着信先電話番号に対する着信があったときに、前記稼動状況テーブルの中で前記着信先電話番号に対応するレコードを着信レコードとして特定し、前記着信レコードの前記稼動状況フラグが活性であるときは前記着信先電話番号に前記着信を中継し、前記着信レコードの前記稼動状況フラグが不活性であるときは前記着信レコードと同一の利用者識別子を有するレコードのうち前記稼動状況フラグが活性であるレコードに登録された電話番号に前記着信を転送することを特徴とする。
【００１０】
本願第４の発明の通信システムは、第１の発明において前記中継装置の前記記憶手段は、前記識別情報として、前記複数の電話番号のうち稼動中の電話番号以外の電話番号に対応して、稼動中の電話番号を記憶することを特徴とする。
【００１１】
本願第５の発明の通信システムは、第４の発明において前記中継装置の前記記憶手段は、利用者識別子、電話番号および転送先電話番号を含むレコードを複数格納した稼動状況管理テーブルを有し、前記中継装置の前記登録手段は、前記携帯電話装置から前記切替通知を受信したときに、前記稼動状況管理テーブルの中で新たに選択された稼動中の電話番号に対応するレコードおよび当該レコードと同じ利用者識別子を有する他のレコードの転送先電話番号に新たに選択された稼動中の電話番号を登録し、前記中継装置の前記転送手段は、着信先電話番号に対する着信があったときに、前記稼動状況テーブルの中で前記着信先電話番号に対応するレコードを着信レコードとして特定し、前記着信レコードに登録された電話番号および転送先電話番号が等しいときは前記着信先電話番号に前記着信を中継し、前記着信レコードに登録された電話番号および転送先電話番号が異なるときは当該転送先電話番号に前記着信を転送することを特徴とする。
【００１２】
本願第６の発明の通信システムは、第１の発明において前記携帯電話装置が、前記複数の電話番号に対応した複数の利用者データエリアが設けられたメモリと、前記切替手段が稼動中の電話番号を切替えたときに、前記複数の利用者データエリアのうち新たに選択された稼動中の電話番号に対応する利用者データエリアを、アクセスすべき利用者データエリアとして選択する手段とを有する。
【００１３】
本願第７の発明の通信システムは、第１の発明において前記携帯電話装置の前記切替手段は、電話番号を記憶した外部メモリが前記携帯電話装置に挿入されたときに、稼動中の電話番号を当該外部メモリに記憶された電話番号に切り替えることを特徴とする。
【００１４】
本願第８の発明の通信システムは、第１の発明において前記中継装置は、前記複数の電話番号のうち稼動中として選択されている電話番号以外の電話番号に着信があったときに留守番電話に録音することを特徴とする。
【００１５】
本願第９の発明の通信システムは、第１の発明において前記中継装置は、前記複数の電話番号の各電話番号毎に課金を行うことを特徴とする。
【００１６】
本願第１０の発明の通信方法は、予め割り当てられた複数の電話番号のうち稼動中として選択されている一の電話番号で受信又は発信を行う携帯電話装置と、当該携帯電話装置の受信又は発信を中継する中継装置とを含むシステムの通信方法であって、前記携帯電話装置は、稼動中の電話番号を前記複数の電話番号のうちの他の電話番号に切り替え、稼動中の電話番号を切替えたときに新たに選択された稼動中の電話番号を示す切替通知を前記中継装置に発信し、前記中継装置は、前記携帯電話装置から前記切替通知を受信したときに新たに選択された稼動中の電話番号を示す識別情報を記憶手段に登録し、前記複数の電話番号のうち稼動中として選択されている電話番号以外の電話番号に着信があったときに前記記憶手段に登録した前記識別情報を参照して当該着信を稼動中の電話番号に転送することを特徴とする。
【００１７】
本願第１１の発明の通信方法は、第１０の発明において前記中継装置の前記記憶手段に、前記識別情報として、前記複数の電話番号の各々に対応して、対応する電話番号が稼動中として選択されているか否かを示す稼動状況フラグを記憶することを特徴とする。
【００１８】
本願第１２の発明の通信方法は、第１１の発明において前記中継装置の前記記憶手段に、利用者識別子、電話番号および稼動状況フラグを含むレコードを複数格納した稼動状況管理テーブルを記憶し、前記中継装置は、前記携帯電話装置から前記切替通知を受信したときに、前記稼動状況管理テーブルの中で新たに選択された稼動中の電話番号に対応するレコードの稼動状況フラグを活性化するとともに、当該レコードと同じ利用者識別子を有する他のレコードの稼動状況フラグを不活性化し、着信先電話番号に対する着信があったときに、前記稼動状況テーブルの中で前記着信先電話番号に対応するレコードを着信レコードとして特定し、前記着信レコードの前記稼動状況フラグが活性であるときは前記着信先電話番号に前記着信を中継し、前記着信レコードの前記稼動状況フラグが不活性であるときは前記着信レコードと同一の利用者識別子を有するレコードのうち前記稼動状況フラグが活性であるレコードに登録された電話番号に前記着信を転送することを特徴とする。
【００１９】
本願第１３の発明の通信方法は、第１０の発明において前記中継装置の前記記憶手段に、前記識別情報として、前記複数の電話番号のうち稼動中の電話番号以外の電話番号に対応して、稼動中の電話番号を記憶することを特徴とする。
【００２０】
本願第１４の発明の通信方法は、第１３の発明において前記中継装置の前記記憶手段に、利用者識別子、電話番号および転送先電話番号を含むレコードを複数格納した稼動状況管理テーブルを記憶し、前記中継装置は、前記携帯電話装置から前記切替通知を受信したときに、前記稼動状況管理テーブルの中で新たに選択された稼動中の電話番号に対応するレコードおよび当該レコードと同じ利用者識別子を有する他のレコードの転送先電話番号に新たに選択された稼動中の電話番号を登録し、着信先電話番号に対する着信があったときに、前記稼動状況テーブルの中で前記着信先電話番号に対応するレコードを着信レコードとして特定し、前記着信レコードに登録された電話番号および転送先電話番号が等しいときは前記着信先電話番号に前記着信を中継し、前記着信レコードに登録された電話番号および転送先電話番号が異なるときは当該転送先電話番号に前記着信を転送することを特徴とする。
【００２１】
本願第１５の発明の通信方法は、第１０の発明において前記携帯電話装置は、稼動中の電話番号を切替えたときに、メモリに設けられた前記複数の電話番号に対応した複数の利用者データエリアのうち新たに選択された稼動中の電話番号に対応する利用者データエリアを、アクセスすべき利用者データエリアとして選択することを特徴とする。
【００２２】
本願第１６の発明の通信方法は、第１０の発明において前記携帯電話装置は、電話番号を記憶した外部メモリが前記携帯電話装置に挿入されたときに、稼動中の電話番号を当該外部メモリに記憶された電話番号に切り替えることを特徴とする。
【００２３】
本願第１７の発明の通信方法は、第１０の発明において前記中継装置は、前記複数の電話番号のうち稼動中として選択されている電話番号以外の電話番号に着信があったときに留守番電話に録音することを特徴とする。
【００２４】
本願第１８の発明の通信方法は、第１０の発明において前記中継装置は、前記複数の電話番号の各電話番号毎に課金を行うことを特徴とする。
【００２５】
本願第１９の発明の携帯電話装置は、予め割り当てられた複数の電話番号のうち稼動中として選択されている一の電話番号で受信又は発信を行う携帯電話装置であって、稼動中の電話番号を前記複数の電話番号のうちの他の電話番号に切り替える切替手段と、前記切替手段が稼動中の電話番号を切替えたときに新たに選択された稼動中の電話番号を示す切替通知を中継装置に発信する手段とを有する。
【００２６】
本願第２０の発明の携帯電話装置は、第１９の発明において前記複数の電話番号に対応した複数の利用者データエリアが設けられたメモリと、前記切替手段が稼動中の電話番号を切替えたときに、前記複数の利用者データエリアのうち新たに選択された稼動中の電話番号に対応する利用者データエリアを、アクセスすべき利用者データエリアとして選択する手段とを有する。
【００２７】
本願第２１の発明の携帯電話装置は、第１９の発明において前記切替手段は、電話番号を記憶した外部メモリが前記携帯電話装置に挿入されたときに、稼動中の電話番号を当該外部メモリに記憶された電話番号に切り替えることを特徴とする。
【００２８】
本願第２２の発明の中継装置は、予め割り当てられた複数の電話番号のうち稼動中として選択されている一の電話番号で受信又は発信を行う携帯電話装置の受信又は発信を中継する中継装置であって、稼動中の電話番号を示す識別情報を記憶する記憶手段と、前記携帯電話装置から切替通知を受信したときに新たに選択された稼動中の電話番号を示す識別情報を前記記憶手段に登録する登録手段と、前記複数の電話番号のうち稼動中として選択されている電話番号以外の電話番号に着信があったときに前記識別情報を参照して当該着信を稼動中の電話番号に転送する転送手段とを有する。
【００２９】
本願第２３の発明の中継装置は、第２２の発明において前記記憶手段は、前記識別情報として、前記複数の電話番号の各々に対応して、対応する電話番号が稼動中として選択されているか否かを示す稼動状況フラグを記憶することを特徴とする。
【００３０】
本願第２４の発明の中継装置は、第２３の発明において前記記憶手段は、利用者識別子、電話番号および稼動状況フラグを含むレコードを複数格納した稼動状況管理テーブルを有し、前記登録手段は、前記携帯電話装置から前記切替通知を受信したときに、前記稼動状況管理テーブルの中で新たに選択された稼動中の電話番号に対応するレコードの稼動状況フラグを活性化するとともに、当該レコードと同じ利用者識別子を有する他のレコードの稼動状況フラグを不活性化し、前記転送手段は、着信先電話番号に対する着信があったときに、前記稼動状況テーブルの中で前記着信先電話番号に対応するレコードを着信レコードとして特定し、前記着信レコードの前記稼動状況フラグが活性であるときは前記着信先電話番号に前記着信を中継し、前記着信レコードの前記稼動状況フラグが不活性であるときは前記着信レコードと同一の利用者識別子を有するレコードのうち前記稼動状況フラグが活性であるレコードに登録された電話番号に前記着信を転送することを特徴とする。
【００３１】
本願第２５の発明の中継装置は、第２２の発明において前記記憶手段は、前記識別情報として、前記複数の電話番号のうち稼動中の電話番号以外の電話番号に対応して、稼動中の電話番号を記憶することを特徴とする。
【００３２】
本願第２６の発明の中継装置は、第２５の発明において前記記憶手段は、利用者識別子、電話番号および転送先電話番号を含むレコードを複数格納した稼動状況管理テーブルを有し、前記登録手段は、前記携帯電話装置から前記切替通知を受信したときに、前記稼動状況管理テーブルの中で新たに選択された稼動中の電話番号に対応するレコードおよび当該レコードと同じ利用者識別子を有する他のレコードの転送先電話番号に新たに選択された稼動中の電話番号を登録し、前記転送手段は、着信先電話番号に対する着信があったときに、前記稼動状況テーブルの中で前記着信先電話番号に対応するレコードを着信レコードとして特定し、前記着信レコードに登録された電話番号および転送先電話番号が等しいときは前記着信先電話番号に前記着信を中継し、前記着信レコードに登録された電話番号および転送先電話番号が異なるときは当該転送先電話番号に前記着信を転送することを特徴とする。
【００３３】
本願第２７の発明の中継装置は、第２２の発明において前記複数の電話番号のうち稼動中として選択されている電話番号以外の電話番号に着信があったときに留守番電話に録音することを特徴とする。
【００３４】
本願第２８の発明の中継装置は、第２２の発明において前記複数の電話番号の各電話番号毎に課金を行うことを特徴とする。
【００３５】
本願第２９の発明のプログラムは、携帯電話装置に、稼動中の電話番号を複数の電話番号のうちの他の電話番号に切り替える切替機能、前記切替機能が稼動中の電話番号を切替えたときに新たに選択された稼動中の電話番号を示す切替通知を中継装置に発信する機能を実現させる。
【００３６】
本願第３０の発明のプログラムは、中継装置に、予め割り当てられた複数の電話番号のうち稼動中として選択されている一の電話番号で受信又は発信を行う携帯電話装置から切替通知を受信したときに新たに選択された稼動中の電話番号を示す識別情報を記憶手段に登録する登録機能、前記複数の電話番号のうち稼動中として選択されている電話番号以外の電話番号に着信があったときに前記識別情報を参照して当該着信を稼動中の電話番号に転送する転送機能を実現させる。
【発明の効果】
【００３７】
本発明の効果は、携帯電話装置の電話番号を切り替えた後に切り替える前の電話番号に対する電話を受けることができ、複数の電話番号に対する電話を受けることができるということである。
【００３８】
その理由は、中継装置が稼動中として管理している電話番号に転送して携帯電話装置につなぐようにしたからである。
【発明を実施するための最良の形態】
【００３９】
本発明の通信システムおよび通信方法ならびに携帯電話装置，中継装置およびそのプログラムは、利用シーンに応じて携帯電話を使い分けたい場合、利用シーン毎に携帯電話を持つことなく、１台の携帯電話で利用シーンに応じた自局電話番号および利用者データの切り替えを行う。そして、複数の自局電話番号を使っての発信または複数の自局電話番号に対する電話の着信を可能にすることを特徴とする。１台の携帯電話で利用シーンに応じた自局電話番号の切り替えができるため、利用者の煩わしさを軽減する。
【００４０】
次に、本発明を実施するための最良の形態について、図面を参照して詳細に説明する。
図１は通信システムの構成を示す図である。
【００４１】
図１を参照すると、本発明の一実施例である通信システムは、携帯電話１０と、サービスセンタ装置２０とを備えている。
【００４２】
携帯電話１０は、サービスセンタからサービスの提供を受ける利用者が使用する携帯電話装置であり、プログラム制御で動作する。携帯電話１０は、サービスセンタ装置２０および交換機（図示せず）を介して相手側電話と通話を行う。携帯電話１０は、外部メモリ１２を装着することにより、外部メモリ１２に記憶されている自局電話番号で発信・着信を行う（外部メモリ１２に記憶されている自局電話番号を発信元電話番号あるいは着信先電話番号として通話を行う）。異なる外部メモリ１２を複数所有し、利用シーンに応じた外部メモリ１２を装着することで、携帯電話１０は異なる自局電話番号で発信・着信を行う。
【００４３】
サービスセンタ装置２０は、プログラム制御で動作し、携帯電話１０の受信または発信を中継する装置である。サービスセンタ装置２０は、サービスセンタが運営管理する。サービスセンタ装置２０は、利用者と通信サービスの契約を行い、自局電話番号を記憶した外部メモリを利用者に発行する。そして、携帯電話の利用者名と自局電話番号とを稼動状況管理テーブル２１に登録し、自局電話番号の稼動状況を管理する。また、サービスセンタ装置２０は、携帯電話１０からの通話を中継し交換機（図示せず）を経由して相手側に送出する（発信中継機能）。また、サービスセンタ装置２０は、相手側からの通話を交換機（図示せず）を経由して受け取り中継し、稼動状況管理テーブル２１を参照して携帯電話１０につなぐ（着信中継機能）。
【００４４】
次に、携帯電話１０の詳細について説明する。
図２は本発明にかかわる携帯電話の構成要素を表したものである。
【００４５】
図２を参照すると、本実施例の携帯電話１０は、自局電話番号切替手段１１と、外部メモリ１２と、自局電話番号格納エリア１３と、利用者データ切替手段１４と、利用者データアドレス格納エリア１５と、利用者データ１６と、切替通知手段１７と、ＣＰＵ（中央処理装置）１８と、バス１９とを備えている。
【００４６】
ＣＰＵ１８は、バス１９を介して携帯電話１０内の各部と接続し、各部を制御する。
【００４７】
自局電話番号切替手段１１は、外部メモリ１２が携帯電話１０に挿入されたことを検知したときに、外部メモリ１２に記憶されている自局電話番号を読み出して自局電話番号格納エリア１３に格納する。
【００４８】
外部メモリ１２は、利用者が使用する自局電話番号を記憶しているメモリであり、例えばＲＯＭ（リード・オンリー・メモリ）で構成されている。外部メモリ１２は、自局電話番号１つに対して１つずつ存在し、携帯電話１０に脱着可能なメモリである。外部メモリ１２は、利用者がサービスセンタ装置２０と契約を行うことで、サービスセンタ装置２０から利用者に配布される。本例では、利用者はサービスセンタ装置２０と２つの自局電話番号（”１００”と”１０１”）の契約を行っているものとする。自局電話番号”１００”用の外部メモリを外部メモリ１２−１００、自局電話番号”１０１”用の外部メモリを外部メモリ１２−１０１と表す。なお、外部メモリの脱着機構および外部メモリから自局電話番号を読み取る方式は公知による。
【００４９】
自局電話番号格納エリア１３は、携帯電話１０で使用する自局電話番号を格納するためのメモリであり、例えば不揮発性メモリで構成されている。
【００５０】
利用者データ切替手段１４は、自局電話番号切替手段１１が外部メモリ１２に記憶されている自局電話番号を自局電話番号格納エリア１３に格納した後に、利用者データアドレス格納エリア１５に自局電話番号に対応した「利用者データ」領域のアドレスを格納する。
【００５１】
利用者データアドレス格納エリア１５は、自局電話番号毎に存在する利用者データのうち携帯電話１０において使用中の利用者データのアドレスを記憶するためのメモリである。利用者データアドレス格納エリア１５は、例えば不揮発性メモリで構成されている。
【００５２】
利用者データ１６は、利用者が使用するデータを記憶するためのメモリであり、例えば不揮発性メモリで構成されている。利用者データ１６は、自局電話番号毎に別領域として存在し、利用シーンに応じた利用者データなどが格納される。利用者データの例としては、頻繁に利用する相手電話番号データ，個人スケジュール，待ち受け画面あるいは着信音設定などがある。利用者は、利用シーンに応じて携帯電話１０を着せ替える感覚で利用することができる。自局電話番号”１００”用の利用者データを利用者データ１６−１００、自局電話番号”１０１”用の利用者データを利用者データ１６−１０１と表す。
【００５３】
切替通知手段１７は、自局電話番号切替手段１１が外部メモリ１２に記憶されている自局電話番号を自局電話番号格納エリア１３に格納した後に、自局電話番号の切替通知をサービスセンタ装置２０に対して送信する。自局電話番号の切替通知は位置登録要求を含んでいる。
【００５４】
次に、サービスセンタ装置２０の詳細について説明する。
図３は本発明にかかわるサービスセンタ装置２０の構成要素を表したものである。
【００５５】
図３を参照すると、本実施例のサービスセンタ装置２０は、稼動状況管理テーブル２１と、稼動状況更新手段２２と、稼動状況確認手段２３と、ＣＰＵ２８と、バス２９とを備えている。また、サービスセンタ装置２０は、記憶手段（図３に図示せず）を有している。記憶手段は、ＲＡＭ（ランダム・アクセス・メモリ）や記憶装置等であり、稼動中の自局電話番号を示す識別情報を記憶する。より具体的には、稼動状況管理テーブル２１を記憶している。
【００５６】
ＣＰＵ２８は、バス２９を介してサービスセンタ装置２０内の各部と接続し、各部を制御する。
【００５７】
稼動状況管理テーブル２１は、利用者毎に予め登録された自局電話番号の稼動状況を管理するためのテーブルである。稼動状況管理テーブル２１は、例えばＲＡＭ（ランダム・アクセス・メモリ）によって構成されている。稼動状況管理テーブル２１の一例を図４に示す。図４を参照すると、稼動状況管理テーブル２１のレコード（エントリ）は、利用者名（利用者識別子），自局電話番号および稼動状況フラグを含んで構成されている。利用者名と自局電話番号には、契約時の情報が登録されている。稼動状況フラグは、該当レコードの自局電話番号が利用可能な状態にあるか否かを示し、利用可能な場合は”ＯＮ（稼動中、活性）”に、利用不可の場合は”ＯＦＦ（休眠中、不活性）”に設定される。
【００５８】
稼動状況更新手段２２は、携帯電話１０から切替通知を受信したときに新たに選択された稼動中の自局電話番号を示す識別情報を記憶手段に登録する手段である。すなわち、携帯電話１０での自局電話番号切替に連動して、稼動状況管理テーブル２１に記録している稼動中の自局電話番号を自動的に書き替える。より具体的には、携帯電話１０から自局電話番号の切替通知を受信したときに、要求元（携帯電話１０）から送信された「自局電話番号」を検索キーとして、稼動状況管理テーブル２１を検索する。そして、検出されたレコードの稼動状況フラグを”ＯＮ”に設定し、同一利用者の他の自局電話番号の稼動状況フラグを”ＯＦＦ”に設定する。
【００５９】
稼動状況確認手段２３は、複数の自局電話番号のうち稼動中として選択されている自局電話番号以外の自局電話番号に着信があったときに識別情報を参照して当該着信を稼動中の自局電話番号に転送する手段である。すなわち、予め登録された自局電話番号に対して電話が掛けられた時、その自局電話番号（着信先電話番号）を検索キーとして、稼動状況管理テーブル２１を検索する。そして、検出されたレコード（着信レコード）の稼動状況フラグが”ＯＮ”である場合、その自局電話番号に対してそのまま電話を掛ける。検出されたレコード（着信レコード）の稼動状況フラグが”ＯＦＦ”である場合、その利用者が登録している他の自局電話番号のうち稼動状況フラグが”ＯＮ”のレコードを稼動状況管理テーブル２１から検索する。そして、稼動状況フラグが”ＯＮ”のレコードの自局電話番号に電話を転送する。
【００６０】
次に、本発明を実施するための最良の形態の動作について、図面を用いて詳細に説明する。
【００６１】
まず、携帯電話１０から発信する場合の動作を説明する。
【００６２】
携帯電話１０の利用者”Ａ”は、利用シーンに応じて自局電話番号を切り替えて、携帯電話１０を利用する。例えば、現在利用者”Ａ”がオフィス用とプライベート用に２つの自局電話番号を持ち、自局電話番号”１００”をオフィス用、自局電話番号”１０１”をプライベート用に使用しているものとする。オフィス用の自局電話番号”１００”を利用して発信する場合の動作を以下に示す。
【００６３】
図２の「外部メモリ１２−ｘｘｘ」、「利用者データ１６−ｘｘｘ」のｘｘｘは、自局電話番号を指し、１２−ｘｘｘと１６−ｘｘｘは１対１に対応している。具体的には、「外部メモリ１２−１００」と「利用者データ１６−１００」とが自局電話番号”１００”用であり、「外部メモリ１２−１０１」と「利用者データ１６−１０１」とが自局電話番号”１０１”用である。
【００６４】
（１）利用者”Ａ”は、携帯電話１０に自局電話番号”１００”用の「外部メモリ１２−１００」を挿入する。
【００６５】
（２）上記挿入を検知した自局電話番号切替手段１１は、「外部メモリ１２−１００」から自局電話番号データである”１００”を読み出し、携帯電話１０に内在する自局電話番号格納エリア１３にコピーする。
【００６６】
（３）利用者データ切替手段１４は、自局電話番号”１００”用の利用者データを参照できるように利用者データアドレス格納エリア１５に、「利用者データ１６−１００」領域のアドレスを格納する。
【００６７】
（４）これにより、利用者”Ａ”は、オフィス用（自局電話番号”１００”用）の「利用者データ１６−１００」を参照することが可能となる。
【００６８】
（５）また、切替通知手段１７は、自局電話番号”１００”が利用可能となったことを通知するために、サービスセンタ装置２０に対して自局電話番号の切替通知を送信する。
【００６９】
上記自局電話番号の切替通知を受け付けたサービスセンタ装置２０側の処理を、以下に記す。なお、サービスセンタ装置２０は、図４に示す稼動状況管理テーブル２１を有しているものとする。また、稼動状況管理テーブル２１には利用者”Ａ”が使用する自局電話番号が予め登録されているものとする。
【００７０】
（６）サービスセンタ装置２０は、携帯電話１０から自局電話番号の切替通知を受信する。稼動状況更新手段２２は、要求元（携帯電話１０）から送信された自局電話番号”１００”を検索キーとして稼動状況管理テーブル２１を検索し、検出されたレコードの稼動状況フラグを”ＯＮ”に設定する。さらに、利用者”Ａ”が登録している他の自局電話番号のレコードを検索し、休眠中に設定する。具体的には、利用者”Ａ”を検索キーとして稼動状況管理テーブル２１を検索し、検出された自局電話番号”１０１”のレコードの稼動状況フラグを”ＯＦＦ”に設定する。
【００７１】
（７）以上の処理を完了することにより、自局電話番号”１００”が稼動状態であることが、携帯電話１０側およびサービスセンタ装置２０側にて認識される。そして、利用者”Ａ”は、携帯電話１０より自局電話番号”１００”を使用して電話をかけることができる。
【００７２】
同様に、利用者”Ａ”が、携帯電話１０をプライベートで使用したい場合には、自局電話番号”１０１”用の「外部メモリ１２−１０１」を挿入する。これにより、自局電話番号”１０１”を使用して電話を掛けることができるようになる。
【００７３】
すなわち、上記（１）〜（５）の手順において、自局電話番号格納エリア１３には、自局電話番号データである”１０１”がコピーされる。利用者データアドレス格納エリア１５には、自局電話番号”１０１”用の「利用者データ１６−１０１」領域のアドレスがコピーされる。
【００７４】
また、上記（６）の手順において、稼動状況管理テーブル２１の自局電話番号”１０１”用レコードの稼動状況フラグが”ＯＮ”に設定される。また、自局電話番号”１００”用レコードの稼動状況フラグが”ＯＦＦ”に設定される。
【００７５】
次に、本通信システムにおいて、携帯電話１０が電話を受ける場合について説明する。
【００７６】
利用者”Ａ”が電話を掛ける場合は、前述した通り、利用シーンに応じて自局電話番号を切り替えるために、「外部メモリ」を差し替える操作が必要である。利用者”Ａ”が電話を受ける場合には、自局電話番号”１００”あるいは自局電話番号”１０１”のどちらに掛けられても、切り替え操作なしに電話を受けることが可能である。
【００７７】
まず、携帯電話１０がオフィス用である自局電話番号”１００”用に設定されているものとする。すなわち、稼動状況管理テーブル２１は、利用者”Ａ”のレコードのうち自局電話番号”１００”用のレコードの稼動状況フラグが”ＯＮ”、自局電話番号”１０１”用のレコードの稼動状況フラグが”ＯＦＦ”である。このような状態で、自局電話番号”１００”に対して電話が掛けられた時の処理を説明する。
【００７８】
携帯電話１０が電話を受ける場合の動作の流れを図５に示す。
【００７９】
図５を参照すると、自局電話番号”１００”に対して電話が掛けられた時、サービスセンタ装置２０では、稼動状況確認手段２３が自局電話番号”１００”を検索キーとして、稼動状況管理テーブル２１を検索する（ステップＳ４１）。
【００８０】
検出されたレコードの稼動状況フラグが”ＯＮ”に設定されているため（ステップＳ４２：ＹＥＳ）、サービスセンタ装置２０は自局電話番号”１００”に対して、そのまま電話を掛ける（ステップＳ４３）。
【００８１】
次に、上記と同様に携帯電話１０がオフィス用である自局電話番号”１００”用に設定されている場合に、自局電話番号”１０１”に対して電話が掛けられた時の処理を説明する。
【００８２】
図５を参照すると、自局電話番号”１０１”に対して電話が掛けられた時、サービスセンタ装置２０では、稼動状況確認手段２３が自局電話番号”１０１”を検索キーとして、稼動状況管理テーブル２１を検索する（ステップＳ４１）。
【００８３】
検出されたレコードの稼動状況フラグが”ＯＦＦ”に設定されている（ステップＳ４２：ＮＯ）。
【００８４】
このままでは電話を掛けることができないので、利用者”Ａ”が登録している自局電話番号で稼動状態（稼動状況フラグが”ＯＮ”）のものがないかを検索する。
【００８５】
具体的には、検出されたレコードの利用者”Ａ”を検索キーとして、稼動状況管理テーブル２１を検索する（ステップＳ４４）。
【００８６】
自局電話番号”１００”のレコードが検出され（ステップＳ４５：ＹＥＳ）、稼動状況フラグが”ＯＮ”に設定されていることがわかる（ステップＳ４２：ＹＥＳ）。
【００８７】
そこで、サービスセンタ装置２０は、自局電話番号”１００”に対して電話を転送する（ステップＳ４３）。
【００８８】
携帯電話１０は、「稼動中」の自局電話番号”１００”に対して掛けられた電話はもちろん、「休眠中」の自局電話番号”１０１”に対して掛けられた電話についても、着信することが可能となる。
【００８９】
以上説明したように、サービスセンタ装置２０は稼動状況管理テーブル２１で稼動中として管理されている自局電話番号で携帯電話１０につなぐので、携帯電話１０は自局電話番号を切り替えた後に切り替える前の自局電話番号に対する電話を受けることができ、複数の自局電話番号に対する電話を受けることができるという効果を得る。
【００９０】
また、利用者データエリアを自局電話番号に対応した利用者データエリアに切り替えて使用するため、自局電話番号毎に異なる利用者データを保持・参照することができるという効果を得る。
【００９１】
次に、本発明の他の実施例について説明する。本発明の他の実施例は、稼動状況管理テーブルについてさらに工夫している。
図６は本発明にかかわるサービスセンタ装置３０の構成要素を表したものである。
図７は稼動状況管理テーブルの一例を示す図である。
【００９２】
本発明の他の実施例のサービスセンタ装置３０は、図６に示すように、稼動状況更新手段３２と、稼動状況確認手段３３と、ＣＰＵ２８と、バス２９と、稼動状況管理テーブル３１とを備えている。
【００９３】
ここでは、上述した実施例と異なる稼動状況管理テーブル３１と稼動状況更新手段３２と稼動状況確認手段３３とについて説明する。
【００９４】
稼動状況管理テーブル３１は、図７に示すように、利用者名，利用者が使用する自局電話番号および転送先電話番号を含んで構成されている。利用者名と自局電話番号は予め登録されている。転送先電話番号には、該当レコードの自局電話番号が利用可能な場合には自局電話番号がそのまま設定され、利用不可の場合にはその利用者が登録している自局電話番号のうち稼動中である他の自局電話番号が設定される。
【００９５】
稼動状況更新手段３２は、携帯電話１０での自局電話番号切替に連動して、稼動状況管理テーブル３１に記録している転送先電話番号を自動的に切り替える。すなわち、携帯電話１０から自局電話番号の切替通知を受信したときに、要求元（携帯電話１０）から送信された自局電話番号を検索キーとして稼動状況管理テーブル３１を検索し、検出されたレコードの転送先電話番号に携帯電話１０から送信された自局電話番号を設定する。更に、同一利用者が登録している他の自局電話番号のレコードを検索し、検出されたレコードの転送先電話番号に携帯電話１０から送信された自局電話番号を設定する。
【００９６】
稼動状況確認手段３３は、予め登録された自局電話番号に対して電話が掛けられた時、その自局電話番号（着信先電話番号）を検索キーとして、稼動状況管理テーブル３１を検索する。そして、検出されたレコードの転送先電話番号に設定されている自局電話番号で携帯電話１０につなぐ。
【００９７】
次に、本発明の他の実施例の動作について説明する。
【００９８】
まず、携帯電話１０から発信する場合の動作を説明する。
【００９９】
携帯電話１０の利用者”Ａ”は、利用シーンに応じて自局電話番号を切り替えて、携帯電話１０を利用する。例えば、利用者Ａがオフィス用とプライベート用に２つの自局電話番号を持ち、自局電話番号”１００”をオフィス用、自局電話番号”１０１”をプライベート用に使用しているものとする。オフィス用の自局電話番号”１００”を利用して発信する場合の動作を以下に示す。
【０１００】
携帯電話１０側の処理は、上述した実施例の動作と同様である。
【０１０１】
サービスセンタ装置３０側の処理は、以下の通りとなる。
【０１０２】
サービスセンタ装置３０では、携帯電話１０から自局電話番号の切替通知を受信する。稼動状況更新手段３２は、要求元（携帯電話１０）から送信された自局電話番号”１００”を検索キーとして稼動状況管理テーブル３１を検索し、検出されたレコードの転送先電話番号に”１００”を設定する。
【０１０３】
更に、利用者”Ａ”が登録している他の自局電話番号のレコードを検索し、転送先を設定する。具体的には、利用者”Ａ”を検索キーとして稼動状況管理テーブル３１を検索し、検出された自局電話番号”１０１”のレコードの転送先電話番号に”１００”を設定する。
【０１０４】
サービスセンタ装置３０は、稼動状況管理テーブル３１の自局電話番号と転送先電話番号に同じ番号が設定されている場合、その自局電話番号が「稼動中」であると判断する。また、自局電話番号と転送先電話番号に違う番号が設定されている場合、その自局電話番号が「休眠中」であると判断する。
【０１０５】
以上の処理を完了することにより、自局電話番号”１００”が稼動状態であることが、携帯電話側およびサービスセンタ装置側にて認識される。
【０１０６】
利用者”Ａ”は、携帯電話１０から自局電話番号”１００”を使用して電話をかけることができる。
【０１０７】
次に、本通信システムにおいて、携帯電話１０が電話を受ける場合について説明する。
【０１０８】
前述した通り、利用者”Ａ”が電話を掛ける場合は、利用シーンに応じて、自局の電話番号を切り替えるために、外部メモリ１２を差し替える操作が必要となる。利用者”Ａ”が電話を受ける場合は、自局電話番号”１００”あるいは自局電話番号”１０１”のどちらに掛けられても、切り替え操作なしに電話を受けることが可能である。
【０１０９】
まず、携帯電話１０がオフィス用である自局電話番号”１００”用に設定されているものとする。すなわち、サービスセンタ装置３０の稼動状況管理テーブル３１は、利用者”Ａ”のレコードのうち自局電話番号”１００”用のレコードの転送先電話番号が”１００”に、自局電話番号”１０１”用のレコードの転送先電話番号が”１００”に設定されている。このような状態で、自局電話番号”１００”に対して電話が掛けられた時の処理を説明する。
【０１１０】
自局電話番号”１００”に対して電話が掛けられた時、サービスセンタ装置３０では、稼動状況確認手段３３が自局電話番号”１００”を検索キーとして稼動状況管理テーブル３１を検索する。検出されたレコードの転送先電話番号”１００”に対して、そのまま電話を掛ける。
【０１１１】
次に、上記と同様に携帯電話１０がオフィス用である自局電話番号”１００”用に設定されている場合に、自局電話番号”１０１”に対して電話が掛けられた時の処理を説明する。
【０１１２】
自局電話番号”１０１”に対して電話が掛けられた時、サービスセンタ装置３０では、稼動状況確認手段３３が自局電話番号”１０１”を検索キーとして稼動状況管理テーブル３１を検索する。検出されたレコードの転送先電話番号”１００”に対して、電話を転送する。
【０１１３】
このように、本実施例では、稼動状況確認手段３３が稼動状況管理テーブル３１を検索する回数が、必ず１回で済むため、検索処理時間を短縮できるという効果が得られる。
【０１１４】
更に、本発明の他の実施例として、サービスセンタ装置が稼動中でない自局電話番号に着信があったときに留守番電話に録音するようにしてもよい。
【０１１５】
すなわち、サービスセンタ装置に留守番電話録音手段を設ける。稼動中でない自局電話番号に着信があったときに稼動中の自局電話番号に転送するのではなく、留守番電話録音手段が相手の伝言を録音する。
【０１１６】
サービスセンタ装置が留守番電話に録音することにより、携帯電話の利用者は利用シーンに関係ない電話に全く干渉されないという効果が得られる。
【０１１７】
更に、本発明の他の実施例として、サービスセンタ装置が電話を転送した場合に携帯電話で転送前着信先自局電話番号を表示するようにしてもよい。
【０１１８】
すなわち、サービスセンタ装置は相手から掛かってきた電話番号（着信先電話番号）で稼動状況管理テーブルを検索して稼動中と記録されているか否かを調べる。着信先電話番号が稼動中と記録されていない場合には、稼動状況管理テーブルを検索して稼動中の自局電話番号を見つけ、転送前着信先電話番号情報を付加して、稼動中の自局電話番号に電話を転送する。携帯電話は、受信した電話に付加されている転送前着信先電話番号情報を表示する。
【０１１９】
転送前着信先電話番号情報を表示することにより、利用者は誰からの電話が転送されてきたのかを知ることができ、その後のアクションが的確にとれるという効果が得られる。
【０１２０】
更に、本発明の他の実施例として、携帯電話が転送前着信先自局電話番号を表示した場合に通話選択を行うようにしてもよい。
【０１２１】
すなわち、携帯電話は、受信した電話に付加されている転送前着信先電話番号情報を表示し、通話を選択するか否かの問い合わせを表示する。利用者が通話を選択入力した場合には相手との通話を行う。利用者が通話を選択入力しない場合には留守電モードに切り換えて相手の伝言を録音する。あるいは、着信した電話に転送前着信先電話番号情報が付加されている場合には自動的に留守電モードに切り換えて、相手の伝言を録音するようにしてもよい。
【０１２２】
留守電モードに切り換えて相手の伝言を録音することにより、利用シーンに関係ない電話から解放されるという効果が得られる。
【０１２３】
更に、本発明の他の実施例として、サービスセンタ装置に課金手段を設け、課金手段は携帯電話の自局電話番号単位に課金を行うようにしてもよい。
【０１２４】
自局電話番号単位に課金を行うことにより、利用者は自局電話番号単位に使用状況を管理できるという効果が得られる。
【０１２５】
更に、本発明の他の実施例として、１つの携帯電話内に複数の自局電話番号をＲＯＭ等で記憶させ、特定の操作で複数の自局電話番号の内の１つを選択して自局電話番号を切り替えるようにしてもよい。
【０１２６】
複数の自局電話番号を予め携帯電話内に記憶させておくことにより、利用者は外部メモリを所持しなくてもよいという効果を得られる。
【０１２７】
本発明による上述した実施の形態において、サービスセンタ装置の処理動作を実行するためのプログラム等を、データとしてサービスセンタ装置の磁気ディスクやＲＯＭ等の記録媒体（図示せず）に記録するようにし、記録されたデータを読み出してサービスセンタ装置を動作させるために用いる。このように、本発明によるサービスセンタ装置を動作させるデータを記録媒体に記録させ、この記録媒体をインストールすることによりサービスセンタ装置の機能が実現できるようになる。
【０１２８】
また、本発明による上述した実施の形態において、携帯電話の処理動作を実行するためのプログラム等を、データとして携帯電話の磁気ディスクやＲＯＭ等の記録媒体（図示せず）に記録するようにし、記録されたデータを読み出して携帯電話を動作させるために用いる。このように、本発明による携帯電話を動作させるデータを記録媒体に記録させ、この記録媒体をインストールすることにより携帯電話の機能が実現できるようになる。
【産業上の利用可能性】
【０１２９】
１人のユーザが、利用シーンに応じて、複数の自局電話番号および利用者データを使い分けたい場合の携帯電話通信システムにおいて利用できる。
【図面の簡単な説明】
【０１３０】
【図１】通信システムの構成を示す図
【図２】携帯電話の構成を示す図
【図３】サービスセンタ装置の構成を示す図
【図４】稼動状況管理テーブルの一例を示す図
【図５】携帯電話が電話を受ける場合の動作の流れを示す図
【図６】サービスセンタ装置の構成を示す図
【図７】稼動状況管理テーブルの一例を示す図
【符号の説明】
【０１３１】
１０    携帯電話
１１    自局電話番号切替手段
１２    外部メモリ
１３    自局電話番号格納エリア
１４    利用者データ切替手段
１５    利用者データアドレス格納エリア
１６    利用者データ
１７    切替通知手段
１８    ＣＰＵ
１９    バス
２０    サービスセンタ装置
２１    稼動状況管理テーブル
２２    稼動状況更新手段
２３    稼動状況確認手段
２８    ＣＰＵ
２９    バス
３０    サービスセンタ装置
３１    稼動状況管理テーブル
３２    稼動状況更新手段
３３    稼動状況確認手段
【図１】
2005348233.tif 000003
【図２】
2005348233.tif 000004
【図３】
2005348233.tif 000005
【図４】
2005348233.tif 000006
【図５】
2005348233.tif 000007
【図６】
2005348233.tif 000008
【図７】
2005348233.tif 000009